(57)【要約】【課題】光の演出に応じて配光制御の調整を容易に行うことができる配光制御装置を提供する。【解決手段】配光制御装置12は、取付部22、およびこの取付部22に取り付けられる配光制御手段23を備える。取付部22は、光源16からの光が通過する開口28を有する。配光制御手段23は、光の反射率が異なる複数の配光制御面38を有し、開口28を通過する光に対向する配光制御面38を切り換え可能とする。【選択図】図１
2015005437.tif 000002
【特許請求の範囲】
【請求項１】
光源からの光が通過する開口を有する取付部と；
取付部に取り付けられ、光の反射率が異なる複数の配光制御面を有し、開口を通過する光に対向する配光制御面を切り換え可能とする配光制御手段と；
を具備していることを特徴とする配光制御装置。
【請求項２】
配光制御手段は、取付部に取り付けられる第１の羽根、および第１の羽根からの突出量が可変の第２の羽根を有し、第１の羽根および第２の羽根に配光制御面が形成されている
ことを特徴とする請求項１記載の配光制御装置。
【請求項３】
光源を有し、光源からの光を出射する器具本体と；
器具本体から出射される光が開口を通過するように器具本体に取付部が取り付けられた請求項１または２記載の配光制御装置と；
を具備していることを特徴とする照明器具。
【発明の詳細な説明】
【技術分野】
【０００１】
本発明の実施形態は、配光を制御する配光制御装置、およびこの配光制御装置を用いた照明器具に関する。
【背景技術】
【０００２】
従来、スタジオや舞台などでの光の演出のためにスポットライトなどの照明器具が用いられている。
【０００３】
このような照明器具では、光の演出上、光を照射する範囲を制限する配光制御の場合には、器具本体の光を出射する出射口の上下左右にそれぞれバンドアが揺動可能に配置されるバンドア装置が取り付けられている。
【０００４】
また、このような照明器具では、光の演出上、少しでも照度を高めたい配光制御の場合には、器具本体の光を出射する出射口の上下左右にそれぞれ反射板が配置されるリフレクタ装置が取り付けられている。
【先行技術文献】
【特許文献】
【０００５】
【特許文献１】特開２０１３−２６１３７号公報
【発明の概要】
【発明が解決しようとする課題】
【０００６】
光の演出上、光を照射する範囲を制限する配光制御の場合には、バンドア装置を取り付けた照明器具が用いられ、また、照度を高める配光制御の場合には、リフレクタ装置を取り付けた照明器具が用いられている。
【０００７】
しかしながら、光の演出が変更になった場合などには、器具本体に対するバンドア装置とリフレクタ装置との付け替えや、照明器具自体の変更が必要となっており、光の演出に応じて配光制御の調整を容易に行うことができなかった。
【０００８】
本発明が解決しようとする課題は、光の演出に応じて配光制御の調整を容易に行うことができる配光制御装置および照明器具を提供することである。
【課題を解決するための手段】
【０００９】
実施形態の配光制御装置は、取付部、および配光制御手段を備える。取付部は、光源からの光が通過する開口を有する。配光制御手段は、取付部に取り付けられ、光の反射率が異なる複数の配光制御面を有し、開口を通過する光に対向する配光制御面を切り換え可能とする。
【発明の効果】
【００１０】
本発明によれば、配光制御手段が、光の反射率が異なる複数の配光制御面を有し、開口を通過する光に対向する配光制御面を切り換え可能とするため、この配光制御手段のみで、光の演出に応じて光を照射する範囲を制限したり照度を高くするといった配光制御の調整を容易に行えることが期待できる。
【図面の簡単な説明】
【００１１】
【図１】一実施形態を示す配光制御装置の配光制御手段の展開状態の側面図である。
【図２】同上配光制御手段の折畳状態の側面図である。
【図３】同上配光制御手段に形成する配光制御面のパターンを(a)〜(f)に示す説明図である。
【発明を実施するための形態】
【００１２】
以下、一実施形態を、図１ないし図３を参照して説明する。
【００１３】
図１および図２において、照明器具10は、例えばスタジオや舞台などでの光の演出に用いられるスポットライトなどであり、器具本体11およびこの器具本体11に取り付けられた配光制御装置12を備えている。
【００１４】
器具本体11は、前面に光を出射する出射口を有する筒形に形成されている。器具本体11内には、出射口15に対向して光源16が配置され、出射口15と光源16との間には光源16からの光を反射する反射体や光源16からの光を集光するレンズなどの光学部品が配置されている。
【００１５】
光源16は、基板17およびこの基板17上に形成された発光部18を備えている。発光部18には、例えば複数のＬＥＤやＥＬ素子などの発光素子が用いられている。
【００１６】
そして、照明器具10の光軸19上に、器具本体11、光源16および光学部品の中心が一致するように配置されている。
【００１７】
また、配光制御装置12は、器具本体11の前面に取り付けられる取付部22、およびこの取付部22に取り付けられる配光制御手段23を備えている。
【００１８】
取付部22は、器具本体11に取り付けられる取付部本体25、この取付部本体25の前方に配置される四角形枠状の取付枠26、およびこの取付枠26の上下左右の各辺を取付部本体25に対して取り付ける取付部材27を備えている。取付部本体25は、器具本体11の出射口15に対向しこの出射口15から出射する光すなわち光源16からの光が通過する開口28を有する筒形状に形成されている。また、取付部本体25と取付枠26との間には、開口28を通過する光が透過し、光の色を可変したり配光を可変するフィルタが着脱可能に取り付けられるフィルタ装着部29が形成されている。
【００１９】
配光制御手段23は、取付枠26の上下左右の各辺にそれぞれ取り付けられる第１の羽根31、およびこの各第１の羽根31の先端にそれぞれ取り付けられる第２の羽根32を備えている。第１の羽根31は、取付枠26に対して回動可能とするとともに回動位置で保持可能とする第１の連結部材33によって連結されている。第２の羽根32は、第１の羽根31に対して回動可能とするとともに回動位置で保持可能とするトルク蝶番などの第２の連結部材34によって連結されており、第１の羽根31から伸ばした展開状態と光軸19に対向する第１の羽根31の面側に折り畳まれた折畳状態との間で回動可能とする。
【００２０】
第１の羽根31および第２の羽根32は、すべてが四角形状に形成されていてもよいし、取付枠26の左右または上下のうちの少なくとも一方に取り付けられる羽根側の先端が先細りとなるように形成し、第１の羽根31および第２の羽根32を四方から近付けて羽根間の開口寸法を小さく絞れるようにしてもよい。
【００２１】
第１の羽根31には、光軸19に対向する第１の面35が形成されている。第２の羽根32には、第１の羽根31からの第２の羽根32を伸ばした展開状態で光軸19に対向する第２の面36、およびこの第２の面36とは反対側であって第１の羽根31に折り畳まれて第１の面35を覆った折畳状態で光軸19に対向する第３の面37を有している。
【００２２】
第１の羽根31の第１の面35、第２の羽根32の第２の面36および第３の面37に、光反射率が異なる配光制御面38が形成されている。本実施形態では、第１の羽根31の第１の面35が、光反射率の高い鏡面または拡散面などの反射面（高反射面）Ｒに形成されている。第２の羽根32の第２の面36および第３の面37が、第１の面35よりも反射率の低い艶消し黒色面などの無反射面（低反射面）Ｂに形成されている。したがって、第１の羽根31は反射板（高反射板）で構成され、第２の羽根32は無反射板（低反射板）で構成されている。
【００２３】
そして、このように構成された照明器具10は、例えばスタジオや舞台の天井側から吊り下げられるバトンに設置して使用される。
【００２４】
スタジオや舞台での光の演出上、光を照射する範囲を制限しつつ被写体の照度を高くする配光制御をしたい場合には、図１に示すように、第２の羽根32を第１の羽根31から展開した状態とし、第１の羽根31の反射面Ｒを光軸19に対向させたうえで、第１の羽根31および第２の羽根32の角度をそれぞれ可変して光を照射する方向および範囲を調整する。
【００２５】
光源16の点灯時、光源16からの光は、器具本体11の出射口15および取付部22の開口28を通過し、さらに、配光制御手段23の四方の第１の羽根31および第２の羽根32の間を通じて被写体へ向けて照射される。
【００２６】
取付部22の開口28を通過した光の一部は、第１の羽根31の反射面Ｒに入射し、被写体へ向けて反射される。
【００２７】
取付部22の開口28を通過した光の一部は、第２の羽根32の無反射面Ｂに入射して吸収され、被写体に対して遮られる。
【００２８】
この場合、配光制御装置12は、一般的なリフレクタ装置の機能とバンドア装置の機能とを併せ持った使用状況となり、光を照射する範囲を制限しつつ被写体の照度を高くすることができる。
【００２９】
また、スタジオや舞台での光の演出上、光を照射する範囲を確実に制限する配光制御をしたい場合には、図２に示すように、第２の羽根32を第１の羽根31に折り畳んだ状態とし、第２の羽根32で第１の羽根31の反射面Ｒを覆うとともに第２の羽根32の無反射面Ｂ（第３の面37）を光軸19に対向させたうえで、第２の羽根32の角度を第１の羽根31とともに一体に可変し、光を照射する方向および範囲を調整する。
【００３０】
光源16の点灯時、光源16からの光は、器具本体11の出射口15および取付部22の開口28を通過し、さらに、配光制御手段23の四方の第２の羽根32の間を通じて被写体へ向けて照射される。
【００３１】
取付部22の開口28を通過した光の一部は、第２の羽根32の無反射面Ｂに入射して吸収され、被写体に対して遮られる。
【００３２】
この場合、配光制御装置12は、一般的なバンドア装置としての使用状況となり、図１に示したように反射面Ｒを使用する使用状況よりも、光を照射する範囲を確実に制限することができる。
【００３３】
また、スタジオや舞台での光の演出が変更となったり、光の演出に照明器具10の配光制御が合わないような場合には、照明器具10をバトンに取り付けた状態のまま、第２の羽根32を回動させ、第１の羽根31の反射面Ｒを露出させるか、第１の羽根31の反射面Ｒを第２の羽根32で覆うことにより、図１または図２に示す配光制御に容易に切り換えることができる。
【００３４】
このように、配光制御装置12では、配光制御手段23が、光の反射率が異なる複数の配光制御面38を有し、開口28を通過する光（光軸19）に対向する配光制御面38を切り換え可能とするため、この配光制御手段23のみで、光の演出に応じて光を照射する範囲を制限したり照度を高くするといった配光制御の調整を容易に行うことができる。
【００３５】
また、配光制御手段23は、取付部22に取り付けられる第１の羽根31、および第１の羽根31からの突出量が可変の第２の羽根32を有し、第１の羽根31および第２の羽根32に配光制御面38が形成されているため、第１の羽根31から突出する第２の羽根32の長さを可変することにより、配光制御の調整を容易に行うことができる。
【００３６】
また、図３には配光制御手段23に形成する光反射率が異なる配光制御面38のパターンの例を示す。
【００３７】
図３(a)は、上記実施形態の例であって、第１の羽根31の第１の面35を反射面Ｒ、第２の羽根32の第２の面36および第３の面37を無反射面Ｂとしている。
【００３８】
図３(b)は、第１の羽根31の第１の面35を反射面Ｒ、第２の羽根32の第２の面36を反射面Ｒ、および第３の面37を無反射面Ｂとしており、展開状態での照度をより高めることができる。
【００３９】
図３(c)は、第１の羽根31の第１の面35を反射面Ｒ、第２の羽根32の第２の面36を無反射面Ｂ、および第３の面37を反射面Ｒとしており、展開状態と折畳状態とも照度を高めながら、展開状態と折畳状態とで光の照射範囲を可変することができる。
【００４０】
図３(d)は、第１の羽根31の第１の面35を無反射面Ｂ、第２の羽根32の第２の面36を無反射面Ｂ、および第３の面37を反射面Ｒとしており、展開状態での光の照射範囲をより確実に制限し、折畳状態では一般的なリフレクタ装置して使用できる。
【００４１】
図３(e)は、第１の羽根31の第１の面35を無反射面Ｂ、第２の羽根32の第２の面36を反射面Ｒ、および第３の面37を無反射面Ｂとしており、展開状態では光の照射範囲を制限しつつ照度を高め、折畳状態では一般的なバンドア装置としての使用できる。
【００４２】
図３(f)は、第１の羽根31の第１の面35を無反射面Ｂ、第２の羽根32の第２の面36を反射面Ｒ、および第３の面37を反射面Ｒとしており、展開状態では光の照射範囲を制限しつつ照度を高め、折畳状態では一般的なリフレクタ装置して使用できる。
【００４３】
なお、前記実施形態では、第２の羽根32を第１の羽根31に対して回動可能（折り畳み可能）に連結したが、スライド可能に連結し、第２の羽根32が第１の羽根31の第１の面35に重なって覆うようにしてもよい。
【００４４】
また、配光制御手段23は、第１の羽根31および第２の羽根32の２つの羽根で構成したが、３つ以上の羽根で構成し、各羽根の各面に光の反射率が異なる配光制御面38を適宜形成するようにしてもよい。
【００４５】
また、配光制御手段23は、１つの羽根のみを用い、この羽根の一方の面を反射面Ｒ、他方の面を無反射面Ｂとし、取付部22に対して反射面Ｒと無反射面Ｂとが裏返るように回転可能に設けてもよい。
【００４６】
また、異なる反射率の配光制御面38は、反射面Ｒと無反射面Ｂとの２種類に限らず、例えば、鏡面、拡散反射面、無反射面Ｂというように３種類以上でとし、適宜切り換えられるようにしてもよい。
【００４７】
また、配光制御装置12の取付部22は、器具本体11でもよい。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
10    照明器具
11    器具本体
12    配光制御装置
16    光源
22    取付部
23    配光制御手段
28    開口
31    第１の羽根
32    第２の羽根
38    配光制御面
【図１】
2015005437.tif 000003
【図２】
2015005437.tif 000004
【図３】
2015005437.tif 000005